(57)【要約】【課題】本発明は、光学エレメントの効果をさらによく発揮することができる表示装置、及び、該表示装置と光学エレメントとの組立構造体を提供する。【解決手段】本発明の表示装置と光学エレメントとの組立構造体は、スクリーンと、該スクリーンを収容する外枠と、光学エレメントと、を備え、前記外枠と前記スクリーンとの間に少なくとも一つの収容空間を設け、該収容空間は、前記光学エレメントを表示スクリーンの前に固定させるために使われ、前記光学エレメントの寸法は、前記外枠によって囲まれた可視範囲と一致する。【選択図】図１
2007047778.tif 000002
【特許請求の範囲】
【請求項１】
スクリーンと、該スクリーンを収容する外枠と、を備える表示装置であって、前記外枠と前記スクリーンとの間に少なくとも一つの収容空間を設け、該収容空間は、光学エレメントを前記スクリーンの前に固定させるために使われることを特徴とする表示装置。
【請求項２】
前記収容空間は前記外枠の側壁に設けることを特徴とする請求項１に記載の表示装置。
【請求項３】
前記外枠の側壁に少なくとも一つの突部を設け、前記収容空間は前記突部と前記スクリーンとの間に形成されることを特徴とする請求項１に記載の表示装置。
【請求項４】
前記収容空間は前記突部の側壁に形成されることを特徴とする請求項３に記載の表示装置。
【請求項５】
請求項１〜４に記載の表示装置と、光学エレメントと、を含み、前記光学エレメントの寸法は、前記外枠によって囲まれた可視範囲と一致することを特徴とする表示装置と光学エレメントとの組立構造体。
【発明の詳細な説明】
【技術分野】
【０００１】
本発明は、表示装置、及び、該表示装置と光学エレメントとの組立構造体に関するものである。
【背景技術】
【０００２】
情報技術が迅速に発展された今日、コンピュータは、大量な各種の情報を急速に処理することができるから、各方面において広く使用されており、同時に、情報技術が迅速に発展されたことで、コンピュータの価格も大幅に下がることにより、次第にすべての家庭に入り込み、多くの人の仕事、学習、娯楽、検索などにおいて最も常用するツールになった。コンピュータは、表示スクリーンによって、操作の内容を表示させるが、表示スクリーンの前に、例えば、覗くことを防ぐシート、目を保護する鏡、フィルターなどの光学エレメントを取り付けるという新たな要求がある。
【０００３】
従来の光学エレメントの設置方式として、光学エレメントの周囲に金属材料又はプラスチック材料からなる枠を設置し、前記光学エレメントの枠の上端の左右両側に表示スクリーンの外枠に掛けられる耳（フランジ）を設置し、前記耳を前記表示スクリーンの外枠に掛けることにより、前記光学エレメントを前記表示スクリーンの前に取り付けることができる。
【０００４】
しかし、前記光学エレメントを表示スクリーンの前に取り付ける場合、前記光学エレメントの周囲に設置された枠は、ユーザの視線に影響を与え、しかも、前記光学エレメントと表示スクリーンとは密接することができなくて、光学効果を減らすという課題がある。
【発明の開示】
【発明が解決しようとする課題】
【０００５】
本発明の第一目的は、前記課題を解決し、光学エレメントの効果をさらによく発揮することができる表示装置を提供することである。
【０００６】
本発明の第二目的は、前記表示装置と光学エレメントとの組立構造体を提供することである。
【課題を解決するための手段】
【０００７】
前記第一目的を達成するため、本発明に係る表示装置は、スクリーンと、該スクリーンを収容する外枠と、を備え、前記外枠とスクリーンとの間に少なくとも一つの収容空間を設け、該収容空間は、光学エレメントを前記スクリーンの前に固定させるために使われる。 
【０００８】
前記第二目的を達成するため、本発明に係る表示装置と光学エレメントとの組立構造体は、表示装置と光学エレメントとを備え、前記表示装置は、スクリーンと、該スクリーンを収容する外枠と、を備え、前記外枠と前記スクリーンとの間に少なくとも一つの収容空間を設ける。光学エレメントは、前記収容空間によって、前記スクリーンの前に固定されており、前記光学エレメントの寸法は、前記外枠によって囲まれた可視範囲と一致（マッチング）される。
【発明の効果】
【０００９】
本発明の光学エレメントは、前記外枠と前記スクリーンとの間に設けられた収容空間によって、前記スクリーンの前に固定されており、前記光学エレメントの周囲に枠は無く、従って、ユーザの視線に影響を与えなく、且つ、前記光学エレメントの寸法と前記外枠によって囲まれた可視範囲とは互いに一致（マッチング）することにより、前記光学エレメントを前記スクリーンの可視範囲に固定させ、光学エレメントの効果をさらによく発揮することができる。
【発明を実施するための最良の形態】
【００１０】
図１と図２を同時に参照して、図１は、本発明の第１の実施形態の表示装置と光学エレメントの構成を示す図であり、図２は、図１に示す表示装置と光学エレメントとの組立構造体を示す図である。前記表示装置と光学エレメントとの組立構造体５は、液晶表示装置１０と光学エレメント３０とを備える。前記液晶表示装置１０は、外枠２０とスクリーン５０とを備え、前記スクリーン５０は、前記外枠２０の内部に設けられる。前記外枠２０の側壁の四隅に、且つ、スクリーン５０と隣接する位置に、収容溝２００をそれぞれ設ける。前記収容溝２００は、前記光学エレメント３０を前記スクリーン５０の前に固定させるために使われる。前記光学エレメント３０の寸法は、前記外枠２０によって囲まれた可視範囲と一致（マッチング）される。前記光学エレメント３０の四隅には突部３００をそれぞれ設け、該突部３００の位置と数量は、前記収容溝２００の位置と数量に対応するように構成される。前記突部３００を収容溝２００に押し入ることにより、前記光学エレメント３０はスクリーン５０の前に固定される。前記収容溝２００の大きさは、前記突部３００の大きさに応じて設計することができる。
【００１１】
前記表示装置と光学エレメントとの組立構造体５は、前記外枠２０の収容溝２００と光学エレメント３０の突部３００との係合によって一体に固定される。前記光学エレメント３０の寸法と前記外枠２０によって囲まれた可視範囲の寸法とが一致（マッチング）されることにより、前記光学エレメント３０を液晶表示装置１０の可視範囲に固定させる。これによって、前記光学エレメント３０が液晶表示装置１０の表面に貼られ、光学エレメント３０の効果をさらによく発揮することができ、且つ、光学エレメント３０の周囲に枠は無いため、ユーザの視線に影響を与えなく、前記外枠２０に掛かる装置を設置する必要が無いため、コストダウンすることができる。
【００１２】
図３は、本発明の第２の実施形態の表示装置と光学エレメントの構成を示す図である。前記第１の実施形態と異なって、本実施形態の外枠２１は、第１側壁２１１と、第２側壁２１２と、第３側壁２１３と、第４側壁２１４とを備える。収容溝２１０は、前記第１側壁２１１と第３側壁２１３にそれぞれ設けられる。光学エレメント３１に長方形状の突部３１０を設け、該突部３１０の位置、数量、及び形状は、前記収容溝２１０に対応されるように構成される。
【００１３】
図４は、本発明の第３の実施形態の表示装置と光学エレメントの構成を示す図である。第２の実施形態と異なって、本実施形態の突部３２０は、半円形状であり、収容溝３２０の形状と互いに一致（マッチング）される。
【００１４】
図５と図６を同時に参照して、図５は、本発明の第４の実施形態の表示装置と光学エレメントの構成を示す図であり、図６は、図５に示す表示装置と光学エレメントとの組立構造体を示す図である。前記第１の実施形態と異なって、本実施形態の外枠２３の側壁の四隅に長方形状の突部３３０をそれぞれ設け、前記突部３３０の側壁に収容溝２３０を設ける。前記光学エレメント３３の四角は、それぞれ前記外枠２３の突部３３０の側壁に設けられた四つの収容溝２３０に押し入れる。
【００１５】
図７は、本発明の第５の実施形態の表示装置と光学エレメントの構成を示す図である。前記第２の実施形態と異なって、本実施形態の外枠２４の側壁に一つの収容溝２４０を設け、前記光学エレメント３４に一つの長方形状の突部３４０を設け、該突部３４０の位置と形状は、前記収容溝２４０に対応される。
【００１６】
前記表示装置と光学エレメントとの組立構造体は、前記外枠２４の収容溝２４０と前記光学エレメント３４の突部３４０との係合によって一体に固定されており、また前記光学エレメント３４の寸法は、前記外枠２４によって囲まれた可視範囲と一致（マッチング）されることにより、前記光学エレメント３４を液晶表示装置の可視範囲に固定させており、前記光学エレメント３４の効果をさらによく発揮されており、且つ、光学エレメント３４の周囲に枠は無くて、従って、ユーザの視線に影響を与えることがなく、前記外枠２４に掛かる装置を設置する必要が無いので、コストダウンすることができる。
【００１７】
しかし、本発明に係る表示装置と光学エレメントとの組立構造体は、以上説明した実施方式に限定されず、例えば、前記表示装置は液晶表示装置でもよく、ＣＲＴ表示装置でもよく、前記外枠の収容溝の数量は、前記表示装置の寸法に基いて変えることができ、前記収容溝は、第２側壁及び第４側壁のみに設けられてもよく、第２側壁及び第４側壁の両端に設けられてもよく、前記側壁のいずれかの位置に設けられてもよく、前記外枠の突部の側壁に収容溝を設けずに前記突部と前記スクリーンの間に収容空間を形成し、前記収容空間によって、前記光学エレメントを表示スクリーンの前に固定させてもよい。
【図面の簡単な説明】
【００１８】
【図１】本発明の第１の実施形態の表示装置と光学エレメントの構成を示す図である。
【図２】図１に示す表示装置と光学エレメントとの組立構造体を示す図である。
【図３】本発明の第２の実施形態の表示装置と光学エレメントの構成を示す図である。
【図４】本発明の第３の実施形態の表示装置と光学エレメントの構成を示す図である。
【図５】本発明の第４の実施形態の表示装置と光学エレメントの構成を示す図である。
【図６】図５に示す表示装置と光学エレメントとの組立構造体を示す図である。
【図７】本発明の第５の実施形態の表示装置と光学エレメントの構成を示す図である。
【符号の説明】
【００１９】
５  表示装置と光学エレメントとの組立構造体
１０  液晶表示装置
２１１  第１側壁
２１２  第２側壁
２１３  第３側壁
２１４  第４側壁
２０、２１、２３、２４  外枠
２００、２１０、２２０、２３０、２４０  収容溝
３００、３１０、３２０、３３０、３４０  突部
３０、３１、３３、３４  光学エレメント
５０  スクリーン
【図１】
2007047778.tif 000003
【図２】
2007047778.tif 000004
【図３】
2007047778.tif 000005
【図４】
2007047778.tif 000006
【図５】
2007047778.tif 000007
【図６】
2007047778.tif 000008
【図７】
2007047778.tif 000009